(57)【要約】【課題】  放送中の番組を自動的に録画することができ、録画された上記番組を自動的に再生することができる放送受信装置及び番組表示方法を提供する。【解決手段】  放送受信装置は、ユーザが第１状態及び第２状態の何れの状態にあるのか判断する判断モジュール７１と、判断モジュールが判断した結果の情報に応じて処理する処理モジュール７０と、を備えている。処理モジュール７０は、放送中の番組の表示中に、判断モジュール７１からユーザが第１状態から第２状態に切替わったことを判断した結果の情報を取得した場合、記録媒体への番組の録画を開始する。処理モジュール７０は、番組の録画を開始した後、判断モジュール７１からユーザが第２状態から第１状態に切替わったことを判断した結果の情報を取得した場合、記録媒体に録画された番組を録画を開始したところから再生し表示させる。【選択図】図１
2011223472.tif 000002
【特許請求の範囲】
【請求項１】
番組の表示中に、ユーザが前記番組を見ることのできる第１状態及び前記番組を見ることのできない第２状態の何れの状態にあるのか判断する判断モジュールと、
前記判断モジュールが判断した結果の情報を取得し、前記判断した結果の情報に応じて処理する処理モジュールと、を備え、
前記処理モジュールは、
放送中の番組の表示中に、前記判断モジュールから前記ユーザが前記第１状態から前記第２状態に切替わったことを判断した結果の情報を取得した場合、記録媒体への前記番組の録画を開始し、
前記番組の録画を開始した後、前記判断モジュールから前記ユーザが前記第２状態から前記第１状態に切替わったことを判断した結果の情報を取得した場合、前記記録媒体に録画された前記番組を前記録画を開始したところから再生し表示させることを特徴とする放送受信装置。
【請求項２】
前記番組を表示する映像表示部をさらに備え、
前記処理モジュールは、前記番組の録画を開始した際、前記映像表示部を休止状態に設定することを特徴とする請求項１に記載の放送受信装置。
【請求項３】
前記ユーザにより設定される設定情報を管理する設定情報管理モジュールをさらに備え、
前記処理モジュールは、前記判断した結果の情報及び設定情報に応じて処理することを特徴とする請求項１に記載の放送受信装置。
【請求項４】
前記処理モジュールは、前記番組の録画を開始した後、前記記録媒体に録画された前記番組を削除することを特徴とする請求項３に記載の放送受信装置。
【請求項５】
前記処理モジュールは、
前記記録媒体に録画された番組の表示中に、前記判断モジュールから前記ユーザが前記第１状態から前記第２状態に切替わったことを判断した結果の情報を取得した場合、前記番組の再生を停止し、レジュームポイントを前記メモリに記憶することを特徴とする請求項１に記載の放送受信装置。
【請求項６】
前記番組を表示する映像表示部をさらに備え、
前記処理モジュールは、前記番組の再生を停止した際、前記映像表示部を休止状態に設定することを特徴とする請求項５に記載の放送受信装置。
【請求項７】
前記処理モジュールは、
前記番組の再生を停止した後、前記判断モジュールから前記ユーザが前記第２状態から前記第１状態に切替わったことを判断した結果の情報を取得した場合、前記メモリに記憶された前記レジュームポイントを基に前記番組の再生及び表示を再開することを特徴とする請求項５に記載の放送受信装置。
【請求項８】
前記判断モジュール及び処理モジュールの動作を設定する動作設定モジュールをさらに備え、
前記動作設定モジュールは、前記設定情報管理モジュールの設定情報に基づいて、前記判断モジュール及び処理モジュールを、動作状態及び休止状態の何れかの状態に設定することを特徴とする請求項３に記載の放送受信装置。
【請求項９】
番組の表示中に、ユーザが前記番組を見ることのできる第１状態から前記番組を見ることのできない第２状態に切替わった場合、記録媒体への前記番組の録画を開始し、
前記番組の録画を開始した後、前記ユーザが前記第２状態から前記第１状態に切替わった場合、前記記録媒体に録画された前記番組を前記録画を開始したところから再生し表示させることを特徴とする番組表示方法。
【発明の詳細な説明】
【技術分野】
【０００１】
本発明の実施形態は、放送受信装置及び番組表示方法に関する。
【背景技術】
【０００２】
近年、デジタルテレビ放送信号を受信し、受信したデジタルテレビ放送信号に基づく番組を記録したり、再生したりすることが可能な放送受信装置が普及している。例えば、放送受信装置は、ＨＤＤ又はＤＶＤを使ってデジタルテレビ放送信号に基づく番組を録画することができる。また、放送受信装置は、デジタルテレビ放送信号からサービス情報を取得し、このサービス情報に基づき番組表の表示を制御することができる。
【０００３】
ユーザは、リモートコントローラを操作することにより、放送受信装置の動作を制御することができる。ユーザは、リモートコントローラを操作することにより、例えば、見ている番組を録画することができ、また、番組表で指定した番組を録画することができる。
【０００４】
放送受信装置には、追っかけ再生と呼ばれる機能が付いている。番組の録画中において、ユーザは、リモートコントローラを操作することにより、録画している番組を録画開始ポイントから再生することができる。
【先行技術文献】
【特許文献】
【０００５】
【特許文献１】特開２００８−１５４１２５号公報
【発明の概要】
【発明が解決しようとする課題】
【０００６】
ところで、録画している番組を録画開始ポイントから再生する場合、ユーザは、一時的に席を外すことを意識し、予め番組を録画する必要がある。このため、番組の録画を忘れた場合、追っかけ再生機能を使うことはできない。また、ユーザが席に戻ってきた後にリモートコントローラの操作を忘れた場合、追っかけ再生機能を使うことはできない。上記のことから、番組を自動的に録画することができ、録画された上記番組を自動的に再生することができる技術が求められている。
【課題を解決するための手段】
【０００７】
上記課題を解決するため、本発明の態様に係る放送受信装置は、
番組の表示中に、ユーザが前記番組を見ることのできる第１状態及び前記番組を見ることのできない第２状態の何れの状態にあるのか判断する判断モジュールと、
前記判断モジュールが判断した結果の情報を取得し、前記判断した結果の情報に応じて処理する処理モジュールと、を備え、
前記処理モジュールは、
放送中の番組の表示中に、前記判断モジュールから前記ユーザが前記第１状態から前記第２状態に切替わったことを判断した結果の情報を取得した場合、記録媒体への前記番組の録画を開始し、
前記番組の録画を開始した後、前記判断モジュールから前記ユーザが前記第２状態から前記第１状態に切替わったことを判断した結果の情報を取得した場合、前記記録媒体に録画された前記番組を前記録画を開始したところから再生し表示させることを特徴としている。
【０００８】
また、本発明の他の態様に係る番組表示方法は、
番組の表示中に、ユーザが前記番組を見ることのできる第１状態から前記番組を見ることのできない第２状態に切替わった場合、記録媒体への前記番組の録画を開始し、
前記番組の録画を開始した後、前記ユーザが前記第２状態から前記第１状態に切替わった場合、前記記録媒体に録画された前記番組を前記録画を開始したところから再生し表示させることを特徴としている。
【図面の簡単な説明】
【０００９】
【図１】本発明の第２の実施の形態に係るテレビジョン受像機を示す概略構成図である。
【図２】上記テレビジョン受像機に用いられるリモートコントローラの外観を示す図である。
【図３】上記テレビジョン受像機を用いた上記第２の実施の形態に係る番組表示方法を説明するためのフローチャートである。
【図４】図３に続く、上記番組表示方法を説明するためのフローチャートである。
【図５】図３に続く、上記番組表示方法を説明するための他のフローチャートである。
【図６】図５に続く、上記番組表示方法を説明するためのフローチャートである。
【発明を実施するための形態】
【００１０】
本発明の第１の実施の形態について説明する。第１の実施の形態において、放送受信装置及び番組表示方法を開示している。  
放送受信装置は、判断モジュールと、処理モジュールと、を備えている。判断モジュールは、番組の表示中に、ユーザが前記番組を見ることのできる第１状態及び前記番組を見ることのできない第２状態の何れの状態にあるのか判断する。処理モジュールは、前記判断モジュールが判断した結果の情報を取得し、前記判断した結果の情報に応じて処理する。
【００１１】
前記処理モジュールは、放送中の番組の表示中に、前記判断モジュールから前記ユーザが前記第１状態から前記第２状態に切替わったことを判断した結果の情報を取得した場合、記録媒体への前記番組の録画を開始する。
【００１２】
前記処理モジュールは、前記番組の録画を開始した後、前記判断モジュールから前記ユーザが前記第２状態から前記第１状態に切替わったことを判断した結果の情報を取得した場合、前記記録媒体に録画された前記番組を前記録画を開始したところから再生し表示させる。
【００１３】
一方、番組表示方法は、番組の表示中に、ユーザが前記番組を見ることのできる第１状態から前記番組を見ることのできない第２状態に切替わった場合、記録媒体への前記番組の録画を開始し、前記番組の録画を開始した後、前記ユーザが前記第２状態から前記第１状態に切替わった場合、前記記録媒体に録画された前記番組を前記録画を開始したところから再生し表示させる。
【００１４】
上記のように構成された第１の実施の形態に係る放送受信装置及び番組表示方法によれば、放送中の番組の表示中に、ユーザが第１状態から第２状態に切替わった場合、番組を自動的に録画することができる。また、番組の録画を開始した後、ユーザが第２状態から第１状態に切替わった場合、録画された番組を録画を開始したところから自動的に再生し表示させることができる。
【００１５】
上記したことから、ユーザの状態を判断することにより、放送中の番組を自動的に録画することができ、録画された上記番組を自動的に再生することができる放送受信装置及び番組表示方法を得ることができる。ユーザがリモートコントローラを操作すること無しに、視聴している番組の録画及び再生を確実に行うことができることは言うまでも無い。
【００１６】
以下、図面を参照しながら本発明の第２の実施の形態に係る放送受信装置及び番組表示方法について詳細に説明する。この実施の形態において、放送受信装置はテレビジョン受像機である。図１は、テレビジョン受像機１の主要な信号処理系を示している。図２は、リモートコントローラ１７の外観を示している。
【００１７】
図１に示すように、ＢＳ（Broadcasting Satellite）／ＣＳ（Communication Satellite）デジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００１８】
チューナ４９で選局された放送信号は、ＰＳＫ（Phase Shift Keying）復調モジュール５０に供給されて、デジタルの映像信号及び音声信号に復調された後、信号処理モジュール５１に出力される。
【００１９】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００２０】
チューナ５４で選局された放送信号は、ＯＦＤＭ（Orthogonal Frequency Division Multiplexing）復調モジュール５５に供給されて、デジタルの映像信号及び音声信号に復調された後、信号処理モジュール５１に出力される。
【００２１】
また、地上波放送受信用のアンテナ５２で受信した地上アナログテレビジョン放送信号は、入力端子５３を介して地上アナログ放送用のアナログチューナ５６に供給されることにより、所望のチャンネルの放送信号が選局される。
【００２２】
アナログチューナ５６で選局された放送信号は、アナログ復調モジュール５７に供給されてアナログの映像信号及び音声信号に復調された後、信号処理モジュール５１に出力される。
【００２３】
ここで、信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００２４】
また、信号処理モジュール５１には、複数（図示の場合は４つ）の入力端子６０ａ、６０ｂ、６０ｃ、６０ｄが接続されている。これら入力端子６０ａ乃至６０ｄは、それぞれ、アナログの映像信号及び音声信号を、テレビジョン受像機１の外部から入力可能とするものである。
【００２５】
信号処理モジュール５１は、アナログ復調モジュール５７及び各入力端子６０ａ乃至６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２６】
このうち、グラフィック処理モジュール５８は、信号処理モジュール５１から供給されるデジタルの映像信号に、ＯＳＤ（On Screen Display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００２７】
グラフィック処理モジュール５８から出力されたデジタルの映像信号は、映像処理モジュール６２に供給される。映像処理モジュール６２により処理された映像信号は、映像表示部１４に供給され、また出力端子６３にも供給される。映像表示部１４は、映像信号に基づく映像を表示し、出力端子６３に対して外部機器が接続されると、出力端子６３に供給された映像信号は、外部機器へ入力される。
【００２８】
音声処理モジュール５９は、入力されたデジタルの音声信号を、スピーカ１５で再生可能なフォーマットのアナログ音声信号に変換した後、スピーカ１５に出力して音声再生させるとともに、出力端子６４を介して外部に導出させる。
【００２９】
ここで、テレビジョン受像機１は、上記した各種の受信動作を含むその全ての動作を制御モジュール６５によって統括的に制御されている。制御モジュール６５は、ＣＰＵ（Central Processing Unit）等を内蔵している。操作モジュール１６からの操作情報を受けたとき、または、リモートコントローラ１７から送出され受光モジュール１８を介して受信した操作情報を受けたとき、制御モジュール６５は、その操作内容が反映されるように各モジュールをそれぞれ制御している。
【００３０】
この場合、制御モジュール６５は、主として、そのＣＰＵが実行する制御プログラムを格納したＲＯＭ（Read Only Memory）６６と、該ＣＰＵに作業エリアを提供するＲＡＭ（Random Access Memory）６７と、各種の設定情報及び制御情報等が格納される不揮発性メモリ６８とを利用している。
【００３１】
さらに、制御モジュール６５は、動作設定モジュール６９、処理モジュール７０、判断モジュール７１及び設定情報管理モジュール７２を利用している。設定情報管理モジュール７２は、ユーザにより設定される設定情報を管理するものである。動作設定モジュール６９は、判断モジュール７１及び処理モジュール７０の動作を設定するものである。動作設定モジュール６９は、設定情報管理モジュール７２の設定情報に基づいて、判断モジュール７１及び処理モジュール７０を、動作状態及び休止状態の何れかの状態に設定することができる。
【００３２】
制御モジュール６５は、カードＩ／Ｆ（Interface）８１を介して、メモリカード１９が装着可能なカードホルダ８２に接続されている。これによって、制御モジュール６５は、カードホルダ８２に装着されたメモリカード１９と、カードＩ／Ｆ８１を介して情報伝送を行なうことができる。図示しないが、制御モジュール６５は、他のカードＩ／Ｆを介して、他のメモリカードが装着可能な他のカードホルダに接続されてもよい。
【００３３】
制御モジュール６５は、フォトセンサ８３に接続されている。フォトセンサ８３は、テレビジョン受像機１が配置されている環境の光の照度を検出することができる。このため、例えば制御モジュール６５は、フォトセンサ８３で検出した情報に基づいて映像表示部１４に表示する映像の輝度レベルを調整することができる。
【００３４】
制御モジュール６５は、ビデオカメラ８４に接続されている。ビデオカメラ８４は、映像表示部１４の画面前方を撮影する。このため、ビデオカメラ８４は、ユーザを撮影することができる。
【００３５】
判断モジュール７１は、番組を含む映像コンテンツの表示中に、ユーザが映像コンテンツを見ることのできる第１状態及び映像コンテンツを見ることのできない第２状態の何れの状態にあるのか判断するものである。この実施の形態において、判断モジュール７１は、ビデオカメラ８４で撮影した映像を基に、ユーザの顔を検出することにより、上記判断をすることができる。ユーザの顔を検出した場合には、さらに、目の開閉状態を検出することにより、上記判断をすることができる。
【００３６】
この場合、上記第１状態としては、ユーザが画面を見ている状態が挙げられる。上記第２状態としては、ユーザの顔が検出されない状態、すなわちユーザが席にいない状態、及びユーザが席にはいるが画面を見ていない状態が挙げられる。
【００３７】
処理モジュール７０は、判断モジュール７１が判断した結果の情報を取得し、判断した結果の情報に応じて処理するものである。詳しくは、処理モジュール７０は、判断モジュール７１の判断した結果の情報及び設定情報管理モジュール７２の設定情報に応じて処理するものである。
【００３８】
制御モジュール６５は、通信Ｉ／Ｆ８５を介してＬＡＮ端子２１と接続されている。これにより、制御モジュール６５は、ＬＡＮ端子２１に接続されたＬＡＮ対応機器と、通信Ｉ／Ｆ８５を介して情報伝送を行なうことができる。この場合、制御モジュール６５は、ＤＨＣＰ（Dynamic Host Configuration Protocol）サーバ機能を有し、ＬＡＮ端子２１に接続されたＬＡＮ対応機器にＩＰ（Internet Protocol）アドレスを割り当てて制御している。
【００３９】
制御モジュール６５は、ＵＳＢ（Universal Serial Bus） Ｉ／Ｆ８６を介してＵＳＢ端子２４と接続されている。これにより、制御モジュール６５は、ＵＳＢ端子２４に接続されたＵＳＢ対応機器と、ＵＳＢ Ｉ／Ｆ８６を介して情報伝送を行なうことができる。ＵＳＢ対応機器としては、例えばＵＳＢ−ＨＤＤ（Hard Disk Drive）１０２が挙げられる。
【００４０】
制御モジュール６５は、ＨＤＭＩ（High Definition Multimedia Interface）規格に準拠したＨＤＭＩ Ｉ／Ｆ８７を介してＨＤＭＩ端子２６と接続されている。これにより、制御モジュール６５は、ＨＤＭＩ端子２６に接続されたＨＤＭＩ対応機器と、ＨＤＭＩ Ｉ／Ｆ８７を介して情報伝送を行なうことができる。  
制御モジュール６５は、テレビジョン受像機１に内蔵されたＨＤＤ１０１に接続されている。
【００４１】
制御モジュール６５は、不揮発性メモリ６８に記憶された録画予約リストに含まれた各録画予約情報を参照し、録画動作を制御する。その他、制御モジュール６５は、ユーザによるリモートコントローラの操作に基づき、録画動作を制御する。  
また、処理モジュール７０は、判断モジュール７１が判断した結果の情報に応じて録画動作などを制御する。番組の録画先としては、例えばＨＤＤ１０１、ＵＳＢ−ＨＤＤ１０２が挙げられる。ここでは、番組の録画先をＨＤＤ１０１として説明する。
【００４２】
次に、放送中の番組を表示している場合に、処理モジュール７０が行う処理について説明する。  
処理モジュール７０は、放送中の番組の表示中に、判断モジュール７１からユーザが第１状態から第２状態に切替わったことを判断した結果の情報を取得した場合、ＨＤＤ１０１への番組の録画を開始する。処理モジュール７０は、番組の録画を開始した際、映像表示部１４を休止状態に設定することも可能である。
【００４３】
番組の録画を開始した後、処理モジュール７０は、ＨＤＤ１０１の録画開始ポイントを不揮発性メモリ６８に記憶する。詳しくは、処理モジュール７０は、ＨＤＤ１０１の録画開始ポイントのアドレス情報を不揮発性メモリ６８に記憶する。
【００４４】
番組の録画を開始した後、処理モジュール７０は、判断モジュール７１からユーザが第２状態から第１状態に切替わったことを判断した結果の情報を取得した場合、不揮発性メモリ６８の情報に基づいて、ＨＤＤ１０１に録画された番組を録画開始ポイントから再生し表示させる。  
その他、処理モジュール７０は、番組の録画を開始した後、設定情報管理モジュール７２の設定情報に応じてＨＤＤ１０１に録画された番組を削除することも可能である。
【００４５】
次に、録画された番組を表示している場合に、処理モジュール７０が行う処理について説明する。  
処理モジュール７０は、ＨＤＤ１０１に録画された番組の表示中に、判断モジュール７１からユーザが第１状態から第２状態に切替わったことを判断した結果の情報を取得した場合、番組の再生を停止し、ＨＤＤ１０１のレジュームポイントを不揮発性メモリ６８に記憶する。詳しくは、処理モジュール７０は、ＨＤＤ１０１のレジュームポイントのアドレス情報を不揮発性メモリ６８に記憶する。
【００４６】
これにより、処理モジュール７０は、番組の再生停止ポイントを不揮発性メモリ６８に記憶することができる。処理モジュール７０は、番組の再生を停止した際、映像表示部１４を休止状態に設定することも可能である。
【００４７】
処理モジュール７０は、番組の再生を停止した後、判断モジュール７１からユーザが第２状態から第１状態に切替わったことを判断した結果の情報を取得した場合、不揮発性メモリ６８に記憶されたレジュームポイントを基に番組の再生及び表示を再開する。これにより、処理モジュール７０は、再生停止ポイントから番組の再生及び表示を再開することができる。
【００４８】
図２に示すように、リモートコントローラ１７には、主として、電源スイッチ１７ａ、入力切換ボタン１７ｂ、地上デジタル放送番組を選択するためのダイレクト選択ボタン１７ｃ、ＢＳ放送番組を選択するためのダイレクト選択ボタン１７ｄ、ＣＳ放送番組を選択するためのダイレクト選択ボタン１７ｅ、各種の放送番組を選択するための複数の番号キー１７ｆ、チャンネルボタン１７ｇ、音量調整ボタン１７ｈ、クイックボタン１７ｑ、ＥＰＧ（Electronic Program Guide）にアクセスするためのＥＰＧボタン１７ｉ、リンクボタン１７ｊ、カーソルキー１７ｋ、決定ボタン１７ｌ、戻るボタン１７ｍ、終了ボタン１７ｎ、青、赤、緑、黄のカラーキー１７ｏ、録画リストを表示するための録画リストボタン１７ｐ、再生ボタン１７ｒ、停止ボタン１７ｓ、一時停止ボタン１７ｔ、等が設けられている。
【００４９】
その他、リモートコントローラ１７には、録画ボタン１７ｕ、地上アナログ放送番組を選択するためのダイレクト選択ボタン１７ｖ、ＣＨ番号入力ボタン１７ｗ、設定メニューボタン１７ｘ等が設けられている。
【００５０】
ユーザは、クイックボタン１７ｑ又は設定メニューボタン１７ｘを押し、その後、カーソルキー１７ｋ及び決定ボタン１７ｌなどを操作することで、設定情報管理モジュール７２の設定情報を更新することができる。
【００５１】
次に、上述したテレビジョン受像機１を用いた番組表示方法について説明する。  
図１及び図３に示すように、映像表示部１４に映像を表示した状態で、録画済みの番組又は放送中の番組を表示するための処理モジュール７０による制御がスタートすると、まず、ステップＳ１において、処理モジュール７０は、録画済みの番組又は放送中の番組を映像表示部１４に表示しているのかどうか判断する。どちらの番組も表示していない場合（ステップＳ１）、番組を表示するための処理モジュール７０の制御は終了する。この場合、映像表示部１４に表示する映像の種類が切替わったり、再び、映像表示部１４に映像を表示した状態に切替わったりしたときに、再び、上記処理モジュール７０の制御をスタートすればよい。
【００５２】
どちらかの番組を表示している場合（ステップＳ１）、ステップＳ２に移行し、ステップＳ２において、処理モジュール７０は、ビデオカメラ８４に映像表示部１４の画面前方の撮影を開始させ、撮影した映像に基づいて判断モジュール７１にユーザの顔を検出させ、顔を検出した場合には、さらに、目の開閉状態を検出させる。なお、ユーザの顔及び目の開閉状態の検出は、以後、常時行われる。
【００５３】
次いで、ステップＳ３において、処理モジュール７０は、ユーザが視聴している番組が録画済みの番組であるのかどうか判断する。より詳しくは、処理モジュール７０は、ユーザが見ている番組が録画済みの番組であるのかどうか判断する。
【００５４】
ユーザが視聴している番組が録画済みの番組ではない場合（ステップＳ３）、すなわち、ユーザが視聴している番組が放送中の番組である場合、ステップＳ４に移行し、ステップＳ４において、処理モジュール７０は、上記番組の自動録画中であるのかどうか判断する。自動録画中でない場合（ステップＳ４）、ステップＳ５に移行し、ステップＳ５において、処理モジュール７０は、判断モジュール７１が判断した結果の情報に応じて、ユーザの顔が検出されたのかどうか判断し、さらにユーザが目を開いているのかどうか判断する。すなわち、処理モジュール７０は、ユーザが上記第１状態にあるのかどうか判断する。
【００５５】
ユーザが目を開いている場合（ステップＳ５）、ステップＳ１に移行する。ユーザの顔が検出されなかった場合や、ユーザが目を閉じている場合（ステップＳ５）、ステップＳ６に移行し、ステップＳ６において、処理モジュール７０は、上記番組の自動録画を開始し、テレビジョン受像機１を待機状態に設定する。このため、処理モジュール７０は、上記番組をＨＤＤ１０１に自動録画し、自動録画開始ポイントを不揮発性メモリ６８に記憶する。また、処理モジュール７０は、映像表示部１４を休止状態、すなわちオフ状態に設定する。ステップＳ６が終了した後は、ステップＳ４に移行する。
【００５６】
自動録画中である場合（ステップＳ４）、図１及び図４に示すように、ステップＳ７に移行し、ステップＳ７において、処理モジュール７０は、判断モジュール７１が判断した結果の情報に応じて、ユーザの顔が検出されたのかどうか判断し、さらにユーザが目を開いているのかどうか判断する。
【００５７】
ユーザの顔が検出されなかった場合や、ユーザが目を閉じている場合（ステップＳ７）、ステップＳ７を繰り返す。ユーザが目を開いている場合（ステップＳ７）、ステップＳ８に移行し、ステップＳ８において、処理モジュール７０は、自動録画時間が、設定情報管理モジュール７２で管理されている第１設定時間より長いのかどうか判断する。なお、ユーザは、第１設定時間を設定可能である。
【００５８】
自動録画時間が第１設定時間以下の場合（ステップＳ８）、ステップＳ９に移行し、ステップＳ９において、処理モジュール７０は、ＨＤＤ１０１に自動録画した番組を消去し、ステップＳ１に移行する。
【００５９】
自動録画時間が第１設定時間より長い場合（ステップＳ８）、ステップＳ１０に移行し、ステップＳ１０において、処理モジュール７０は、テレビジョン受像機１をオン状態に設定し、不揮発性メモリ６８に記憶した自動録画開始ポイントから、ＨＤＤ１０１に自動録画した番組の再生を開始する。
【００６０】
ステップＳ１０が終了した後、処理モジュール７０は、ユーザが設定した時間が終了するまで上記番組のＨＤＤ１０１への自動録画を続け、ＨＤＤ１０１に自動録画した番組の再生を続ける。その他、処理モジュール７０は、上記番組終了するまで上記番組のＨＤＤ１０１への自動録画を続け、ＨＤＤ１０１に自動録画した番組の再生を続けてもよい。そして、ＨＤＤ１０１に自動録画した番組の再生が終了することにより、処理モジュール７０の制御は終了する。
【００６１】
なお、上記番組の自動録画中、自動録画した番組を早送りするなどし、自動録画された番組を見終わった場合、処理モジュール７０は、上記番組のＨＤＤ１０１への自動録画を終了し、映像表示部１４に放送中の番組を表示すればよい。これにより、処理モジュール７０の制御は終了する。
【００６２】
また、ＨＤＤ１０１に自動録画した番組の再生中、処理モジュール７０は、判断モジュール７１が判断した結果の情報及び設定情報管理モジュール７２の設定情報に応じて処理してもよい。このため、例えば、処理モジュール７０は、自動録画した番組の再生を一時停止したり、自動録画した番組の再生を停止したりすることができる。
【００６３】
図３に示すように、ユーザが視聴している番組が録画した番組である場合（ステップＳ３）、すなわち、ユーザが視聴している番組が放送中の番組ではない場合、図１及び図５に示すように、ステップＳ１１に移行し、ステップＳ１１において、処理モジュール７０は、レジュームポイントを不揮発性メモリ６８に記憶済であるのかどうか判断する。
【００６４】
レジュームポイントを記憶済でない場合（ステップＳ１１）、ステップＳ１２に移行し、ステップＳ１２において、処理モジュール７０は、判断モジュール７１が判断した結果の情報に応じて、ユーザの顔が検出されたのかどうか判断し、さらにユーザが目を開いているのかどうか判断する。
【００６５】
ユーザが目を開いている場合（ステップＳ１２）、ステップＳ１に移行する。ユーザの顔が検出されなかった場合や、ユーザが目を閉じている場合（ステップＳ１２）、ステップＳ１３に移行し、ステップＳ１３において、処理モジュール７０は、レジュームポイントを不揮発性メモリ６８に記憶する。ステップＳ１３が終了した後は、ステップＳ１１に移行する。
【００６６】
レジュームポイントを記憶済である場合（ステップＳ１１）、図１及び図６に示すように、ステップＳ１４に移行し、ステップＳ１４において、処理モジュール７０は、不揮発性メモリ６８にレジュームポイントが記憶されてからの経過時間が、設定情報管理モジュール７２で管理されている第２設定時間より長いのかどうか判断する。なお、ユーザは、第２設定時間を設定可能である。
【００６７】
上記経過時間が第２設定時間以下の場合（ステップＳ１４）、ステップＳ１５に移行し、ステップＳ１５において、処理モジュール７０は、判断モジュール７１が判断した結果の情報に応じて、ユーザの顔が検出されたのかどうか判断し、さらにユーザが目を開いているのかどうか判断する。
【００６８】
ユーザが目を開いている場合（ステップＳ１５）、ステップＳ１６に移行し、ステップＳ１６において、処理モジュール７０は、不揮発性メモリ６８に記憶したレジュームポイントを消去し、ステップＳ１に移行する。ユーザの顔が検出されなかった場合や、ユーザが目を閉じている場合（ステップＳ１５）、ステップＳ１４に移行する。
【００６９】
上記経過時間が第２設定時間より長い場合（ステップＳ１４）、ステップＳ１７に移行し、ステップＳ１７において、処理モジュール７０は、ＨＤＤ１０１に録画済みの番組の再生を一時停止する。
【００７０】
次いで、ステップＳ１８において、処理モジュール７０は、上記経過時間が、設定情報管理モジュール７２で管理されている第３設定時間より長いのかどうか判断する。なお、ユーザは、第３設定時間を設定可能である。
【００７１】
上記経過時間が第３設定時間以下の場合（ステップＳ１８）、ステップＳ１９に移行し、ステップＳ１９において、処理モジュール７０は、判断モジュール７１が判断した結果の情報に応じて、ユーザの顔が検出されたのかどうか判断し、さらにユーザが目を開いているのかどうか判断する。
【００７２】
ユーザが目を開いている場合（ステップＳ１９）、ステップＳ２０に移行し、ステップＳ２０において、処理モジュール７０は、上記一時停止を解除し、録画済みの番組の再生を再開し、不揮発性メモリ６８に記憶したレジュームポイントを消去し、ステップＳ１に移行する。ユーザの顔が検出されなかった場合や、ユーザが目を閉じている場合（ステップＳ１９）、ステップＳ１８に移行する。
【００７３】
上記経過時間が第３設定時間より長い場合（ステップＳ１８）、ステップＳ２１に移行し、ステップＳ２１において、処理モジュール７０は、ＨＤＤ１０１に録画済みの番組の再生を停止し、テレビジョン受像機１を待機状態に設定する。このため、処理モジュール７０は、映像表示部１４を休止状態、すなわちオフ状態に設定する。
【００７４】
ステップＳ２１が終了した後、処理モジュール７０は、判断モジュール７１が判断した結果の情報及び設定情報管理モジュール７２の設定情報に応じて処理する。このため、例えば、処理モジュール７０は、不揮発性メモリ６８にレジュームポイントを記憶したり、録画済みの番組の再生を一時停止したり、録画済みの番組の再生を停止したり、録画済みの番組の再生を再開したりすることができる。そして、録画済みの番組の再生が終了することにより、処理モジュール７０の制御は終了する。
【００７５】
上記のように構成された第２の実施の形態に係るテレビジョン受像機１及び番組表示方法によれば、放送中の番組の表示中に、ユーザが第１状態から第２状態に切替わった場合、番組を自動的に録画することができる。また、番組の録画を開始した後、ユーザが第２状態から第１状態に切替わった場合、録画された番組を録画開始ポイントから自動的に再生し表示させることができる。
【００７６】
上記したことから、ユーザの状態を判断することにより、放送中の番組を自動的に録画することができ、録画された上記番組を自動的に再生することができるテレビジョン受像機１及び番組表示方法を得ることができる。また、上記テレビジョン受像機１及び番組表示方法は、ユーザの行為に応じて番組を自動的に録画したり再生したりできるため、ユーザに便利である。
【００７７】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７８】
例えば、上述したモジュールとは、ハードウェアで実現するものであっても良いし、ＣＰＵ等を使ってソフトウェアで実現するものであってもよい。  
録画開始ポイント及びレジュームポイントを記憶するメモリは、不揮発性メモリ６８に限定されるものではなく、種々変形可能である。
【００７９】
処理モジュール７０は、録画開始ポイントをメモリに記憶しなくともよい。この場合、録画された番組をＨＤＤ等の記録媒体に記録し、ファイルで保存することができる。この場合も、処理モジュール７０は、記録媒体に録画された番組を録画を開始したところから再生する際、録画された番組をファイルの先頭から再生すればよい。  
その他、記録媒体に録画された番組を、録画を開始したところから再生するための手法は種々変形可能である。
【００８０】
ユーザにより設定される設定情報は、設定情報管理モジュール７２で管理されているが、これに限定されるものではなく、種々変形可能であり、例えば不揮発性メモリ６８の一部で管理されていてもよい。
【００８１】
上記第２の実施の形態のビデオカメラ８４は、テレビジョン受像機１に内蔵されているが、これに限らず、テレビジョン受像機１の外部に設置するものであってもよい。  
上記第２の実施の形態のテレビジョン受像機１は、動画を撮影するビデオカメラ８４を有しているが、これに限定されるものではなく、種々変形可能である。例えば、上記テレビジョン受像機１は、ビデオカメラ８４の替わりに静止画を撮影するカメラを有していてもよい。  
番組の録画先は、ＨＤＤ１０１に限定されるものではなく、種々変形可能であり、ＵＳＢ−ＨＤＤ１０２及びＬＡＮ対応機器など、記憶媒体であればよい。
【００８２】
この発明の実施の形態の放送受信装置は、上記テレビジョン受像機１に限定されるものではなく、各種のテレビジョン受像機に適用可能である。また、この発明の実施の形態の放送受信装置は、ＨＤＤレコーダ及びＤＶＤレコーダなどの録画機器にも適用可能である。この場合、上記放送受信装置は、番組を扱う放送受信装置に限らず、番組を含む映像コンテンツを扱う放送受信装置であればよい。
【００８３】
以上説明した実施の形態によれば、放送中の番組を自動的に録画することができ、録画された上記番組を自動的に再生することができる放送受信装置及び番組表示方法を得ることができる。
【符号の説明】
【００８４】
１…テレビジョン受像機、１４…映像表示部、１７…リモートコントローラ、４７，５２…アンテナ、４９，５４…チューナ、５６…アナログチューナ、５１…信号処理モジュール、６５…制御モジュール、６８…不揮発性メモリ、６９…動作設定モジュール、７０…処理モジュール、７１…判断モジュール、７２…設定情報管理モジュール、８４…ビデオカメラ、１０１…ＨＤＤ、１０２…ＵＳＢ−ＨＤＤ。
【図１】
2011223472.tif 000003
【図２】
2011223472.tif 000004
【図３】
2011223472.tif 000005
【図４】
2011223472.tif 000006
【図５】
2011223472.tif 000007
【図６】
2011223472.tif 000008